(57)【要約】【課題】  電源や電気制御回路を必要とせず、しかも、操作手段や規制手段、連動機構などを損傷することがないストロボ内蔵カメラを提供する。【解決手段】  カメラ本体２と、第１の回動部と第２の回動部とを有し、前記第１の回動部で前記カメラ本体２に対して回動自在に軸支される支持部３と、前記第２の回動部で支持部３に対して回動自在に側面が軸支され、ストロボ発光部を有し、第１の位置と第２の位置との間で移動可能なストロボケース４と、支持部３を第２の位置で係止する第１の係止部と、ストロボケース４を第２の位置で係止する第２の係止部と、ストロボケース４を第２の位置側に付勢する付勢手段と、外部ストロボ装置５０を装着可能な装着手段と、装着手段に外部ストロボ装置５０を装着したときに、ストロボケース４が第１の位置から第２の位置に移動しないようにストロボケース４を位置規制する規制手段４０とを備える。【選択図】    図１１
2005134409.tif 000002
【特許請求の範囲】
【請求項１】
カメラ本体と、
第１の回動部と第２の回動部とを有し、前記第１の回動部で前記カメラ本体に対して回動自在に軸支される支持部と、
前記第２の回動部で前記支持部に対して回動自在に側面が軸支され、ストロボ発光部を有し、第１の位置と第２の位置との間で移動可能なストロボケースと、
前記支持部を第２の位置で係止する第１の係止部と、
前記ストロボケースを第２の位置で係止する第２の係止部と、
前記ストロボケースを第２の位置側に付勢する付勢手段と、
外部ストロボ装置を装着可能な装着手段と、
前記装着手段に前記外部ストロボ装置を装着したときに、前記ストロボケースが第１の位置から第２の位置に移動しないように前記ストロボケースを位置規制する規制手段と
を備えるストロボ内蔵カメラ。
【請求項２】
第１の回動部が、ストロボケースが第１の位置にあるときに支持部の前側となる箇所に配設され、
第２の回動部が、前記ストロボケースが第１の位置にあるときに支持部の後側となり、かつ前記ストロボケースが第１および第２の位置にあるときに前記ストロボケースの後側となる箇所に配設される請求項１に記載のストロボ内蔵カメラ。
【請求項３】
ストロボケースを第１の位置に係止する第３の係止部が設けられ、
規制手段は、外部ストロボ装置を装着したときに、ストロボケースを第１の位置でカメラ本体に係止するよう作用する複数のロック部を有し、各ロック部によりストロボケースの互いに異なる箇所に対してロックする請求項１または２に記載のストロボ内蔵カメラ。
【請求項４】
複数のロック部を連動させる連動機構が設けられている請求項３記載のストロボ内蔵カメラ。
【請求項５】
第１のロック部により、ストロボケースが第１の位置にある状態でストロボケースまたは支持部における第１の回動部を中心として端部側となる箇所を位置規制し、第２のロック部により、ストロボケースが第１の位置にある状態でストロボケースにおける第２の回動部を中心として端部側となる箇所を位置規制する請求項３または４に記載のストロボ内蔵カメラ。
【請求項６】
第１のロック部と第２のロック部とにより、ストロボケースの略対角線上の位置をロックする請求項５に記載のストロボ内蔵カメラ。
【請求項７】
複数のロック部を連動させる連動機構が設けられ、この連動機構がストロボケースに設けられている請求項３〜６の何れか１項に記載のストロボ内蔵カメラ。
【請求項８】
ストロボケースが第１の位置にある状態でのストロボケース上面と外部ストロボ取付位置とがほぼ同一面となるように配置されていることを特徴とする請求項１〜７の何れか１項に記載のストロボ内蔵カメラ。
【発明の詳細な説明】
【技術分野】
【０００１】
本発明は、外部ストロボ装置を装着可能なストロボ内蔵カメラに関するものである。
【背景技術】
【０００２】
デジタルスチルカメラやフィルム感光型の小型カメラ等において、写真撮影を行う際の補助光を照射するストロボ発光部を有するストロボケースをカメラ本体に内蔵したストロボ内蔵カメラが既に一般に普及している。
【０００３】
このストロボ内蔵カメラには、レンズバリアの開閉動作を行うタイプのものの他に、カメラ本体に取り付けられるストロボケースが第１の位置と第２の位置との間で移動可能なポップアップ機構を有するタイプのものがある。
【０００４】
このようにポップアップ機構を有するタイプのストロボ内蔵カメラは、レンズバリアの開閉動作を行うタイプで、使用時にも内蔵ストロボの位置が変化しないものと比較して、内蔵ストロボの使用時にカメラ本体よりも上方などに内蔵ストロボを移動できるため、カメラ本体のレンズの鏡筒などに内蔵ストロボの光が遮られることを最小限に抑えることができる利点がある。
【０００５】
ところで、この種のストロボ内蔵カメラでは、内蔵ストロボの非使用時においては、カメラ本体に内蔵ストロボを内蔵する構造であるため、十二分な発光量を有する大型の内蔵ストロボを備えると、カメラ本体が極めて大きくなり、携帯する際に不便となってしまう。したがって、特に多くの発光量が必要となる場合に十二分な発光量を有する大型の外部ストロボ装置を装着できる構造とすることが考えられ、これによれば、必要に応じて外部ストロボ装置を着脱できて、多くの発光量を必要としない場合には、外部ストロボ装置を取り外しておけばよいので、携帯にも不便とならない。
【０００６】
しかし、このように外部ストロボ装置を装着可能な構造にすると、外部ストロボ装置を装着した状態で、誤って、内蔵ストロボをポップアップさせるための操作釦を操作すると、ポップアップする際に内蔵ストロボが外部ストロボ装置に当接して、内蔵ストロボや外部ストロボ装置が損傷するおそれがある。また、ポップアップしたことを検知して内蔵ストロボを発光できるように構成したものでは、内蔵ストロボもポップアップさせてしまうと、外部ストロボ装置と内蔵ストロボとの両者に通電されてしまうなどして、発光用の電気回路が損傷したり、外部ストロボ装置や内蔵ストロボの通電量が不足となって、規定の発光量が得られなかったりするおそれもある。
【０００７】
このような不具合を解消できるストロボ内蔵カメラとして、特許文献１などに、外部ストロボ装置が装着されたことを検知する電気スイッチを設けるとともに、内蔵ストロボのポップアップ動作を行わせる電磁コイルを有するマグネットユニットを設け、前記電気スイッチにより外部ストロボ装置の装着を検知した際に、マグネットユニットへの通電を禁止したものが開示されている。
【０００８】
この構成によれば、外部ストロボ装置が装着されると、内蔵ストロボのポップアップ動作が行われなくなるので、内蔵ストロボのポップアップ動作により内蔵ストロボと外部ストロボ装置とが当接して損傷したり、外部ストロボ装置と内蔵ストロボとの両者に通電されてしまったりすることが防止され、信頼性が向上する。
【特許文献１】特開平１０−１８６４７１号公報
【発明の開示】
【発明が解決しようとする課題】
【０００９】
しかしながら、上記従来の電気スイッチやマグネットユニットを用いて内蔵ストロボのポップアップ動作を禁止する構成では、電気スイッチ、マグネットユニットならびにこれらに給電する電源や電気制御回路が必要となり、製造コストが大きく増加してしまう。
【００１０】
これに対処する手法として、電気スイッチなどの電気的に駆動される部品を用いずに、内蔵ストロボのポップアップ動作を禁止することが考えられる。一例としては、外部ストロボ装置を装着すると突出する突出片を出退自在に設け、この突出片により、内蔵ストロボのポップアップ動作を行わせる操作釦の押圧動作を規制して、操作釦自体が押し込めないように禁止する方法がある。
【００１１】
ところが、このように操作釦の押圧動作を突出片により規制して禁止する構造であると、操作釦自体が押し込めないにもかかわらず、操作を行うユーザーが、操作釦を強引に押し込んでしまうことが考えられ、この場合には、操作釦などの操作手段や、突出片などの規制手段、あるいは突出片を連動させる連動機構などが損傷するおそれがある。
【００１２】
本発明は上記課題を解決するもので、電源や電気制御回路を必要とせず、しかも、操作手段や規制手段、連動機構などを損傷することがないストロボ内蔵カメラを提供することを目的とするものである。
【課題を解決するための手段】
【００１３】
これらの目的を達成するために本発明のストロボ内蔵カメラは、カメラ本体と、第１の回動部と第２の回動部とを有し、前記第１の回動部で前記カメラ本体に対して回動自在に軸支される支持部と、前記第２の回動部で前記支持部に対して回動自在に側面が軸支され、ストロボ発光部を有し、第１の位置と第２の位置との間で移動可能なストロボケースと、前記支持部を第２の位置で係止する第１の係止部と、前記ストロボケースを第２の位置で係止する第２の係止部と、前記ストロボケースを第２の位置側に付勢する付勢手段と、外部ストロボ装置を装着可能な装着手段と、前記装着手段に前記外部ストロボ装置を装着したときに、前記ストロボケースが第１の位置から第２の位置に移動しないように前記ストロボケースを位置規制する規制手段とを備えるものである。
【００１４】
この構成によれば、ストロボケースを位置規制することにより第２の位置への移動を機械的に禁止しているので、電気スイッチや電磁コイル、電源、電気制御回路などを設けなくて済み、このような電気的に制御する構成の場合と比較して製造コストの増加を抑えることができ、また、ストロボケースを第２の位置に移動させる操作手段を位置規制するのではなくて、ストロボケース自体を位置規制するので、ストロボケースを第２の位置に移動させるための操作釦などの操作手段に対しては位置を規制しないことが可能となり、これにより、外部ストロボ装置を装着した際に、操作釦などの操作手段が強引に押された場合でも操作手段や連動機構などを損傷することがない。
【発明の効果】
【００１５】
以上のように本発明によれば、カメラ本体に取り付けられるストロボケースが第１の位置と第２の位置との間で移動可能なポップアップ機構を有しつつ、電源や電気制御回路を必要としないので、製造コストの増加を抑えることができ、しかも、ストロボケースを移動させるための操作手段や規制手段、連動機構を損傷することがないので、良好な信頼性を維持できるという優れた効果が得られる。
【発明を実施するための最良の形態】
【００１６】
本発明の請求項１に記載のストロボ内蔵カメラは、カメラ本体と、第１の回動部と第２の回動部とを有し、前記第１の回動部で前記カメラ本体に対して回動自在に軸支される支持部と、前記第２の回動部で前記支持部に対して回動自在に側面が軸支され、ストロボ発光部を有し、第１の位置と第２の位置との間で移動可能なストロボケースと、前記支持部を第２の位置で係止する第１の係止部と、前記ストロボケースを第２の位置で係止する第２の係止部と、前記ストロボケースを第２の位置側に付勢する付勢手段と、外部ストロボ装置を装着可能な装着手段と、前記装着手段に前記外部ストロボ装置を装着したときに、前記ストロボケースが第１の位置から第２の位置に移動しないように前記ストロボケースを位置規制する規制手段とを備えるものである。
【００１７】
この構成により、外部ストロボ装置を装着すると規制手段によりストロボケースが第２の位置に移動することが阻止され、また、ストロボケースを位置規制することで機械的に移動を禁止しているので、電気的に制御する場合と比較して製造コストの増加を抑えることができる。また、ストロボケース自体を第２の位置に移動されないように位置規制することで、ストロボケースを第２の位置に移動させるための操作釦などの操作手段に対しては位置を規制しない構成を採用でき、これによれば、外部ストロボ装置を装着した際に、操作釦などの操作手段を強引に押すなどしても操作手段や連動機構などを損傷することがない。
【００１８】
請求項２に記載の発明は、請求項１に記載のストロボ内蔵カメラにおいて、第１の回動部が、ストロボケースが第１の位置にあるときに支持部の前側となる箇所に配設され、第２の回動部が、前記ストロボケースが第１の位置にあるときに支持部の後側となり、かつ前記ストロボケースが第１および第２の位置にあるときに前記ストロボケースの後側となる箇所に配設されるものである。
【００１９】
この構成によれば、第１の位置において、ストロボケースと支持部とをコンパクトに格納できてカメラ全体の小型化を図ることができるとともに、第２の回動部は、ストロボケースが第１および第２の位置にあるときにストロボケースの後側となる箇所に配設されるので、ストロボケースを第２の位置に突出させた際に上方だけでなく前方にも移動することとなり、カメラ本体の前方中央にある鏡筒等の部材により出射光が乱反射されることを低減できる。
【００２０】
請求項３に記載の発明は、請求項１または２に記載のストロボ内蔵カメラにおいて、ストロボケースを第１の位置に係止する第３の係止部が設けられ、規制手段は、外部ストロボ装置を装着したときに、ストロボケースを第１の位置でカメラ本体に係止するよう作用する複数のロック部材を有し、各ロック部材によりストロボケースの互いに異なる箇所に対してロックするものである。
【００２１】
この構成によれば、複数のロック部材によりストロボケースを複数の箇所で第１の位置に位置規制するので、ストロボケースを良好な姿勢で第１の位置に保持できる。つまり、第１の回動部と第２の回動部とを有し、支持部を介してストロボケースをカメラ本体に対して回動自在に軸支させ、付勢手段によりストロボケースを第２の位置側に付勢し、第３の係止部を所定箇所に係止することによりストロボケースを第１の位置に係止する構造であるので、ストロボケースを１箇所だけで位置規制すると、ストロボケースの他の箇所がカメラ本体から浮き上がってしまって、第３の係止部が前記係止部分より外れてしまうことがあり、この場合には、外部ストロボ装置を取り外すと、ストロボケースを第１の位置に位置規制するものがなくなるので、ストロボケースが第２の位置に移動してしまい、第１の位置に保持できなくなることがあるが、上記の構成によれば、このような不具合を生じない。
【００２２】
請求項４に記載の発明は、請求項３に記載のストロボ内蔵カメラにおいて、複数のロック部材を連動させる連動機構が設けられているものであり、この構成によれば、複数のロック部材が連動機構により連動して、第１の位置での位置規制を１度にかつ良好に解除することができる。
【００２３】
請求項５に記載の発明は、請求項３または４に記載のストロボ内蔵カメラにおいて、第１のロック部材により、ストロボケースが第１の位置にある状態でストロボケースまたは支持部における第１の回動部を中心として端部側となる箇所を位置規制し、第２のロック部材により、ストロボケースが第１の位置にある状態でストロボケースにおける第２の回動部を中心として端部側となる箇所を位置規制するものである。
【００２４】
この構成により、支持部がカメラ本体に対して第２の位置側に回動しようとすることを第１のロック部材により良好に位置規制することができ、また、ストロボケースが支持部に対して第２の位置側に回動しようとすることを第２のロック部材により良好に位置規制することができる。したがって、これらの第１、第２のロック部材だけで、ストロボケースを極めて良好な姿勢で第１の位置に保持できる。
【００２５】
請求項６に記載の発明は、請求項５に記載のストロボ内蔵カメラにおいて、第１のロック部材と第２のロック部材とにより、ストロボケースの略対角線上の位置をロックするものであり、この構成によれば、第１のロック部材と第２のロック部材との２つのロック部材だけで、ストロボケースの幅方向（第１の回動部や第２の回動部の軸心方向に沿う方向）に対しても良好に位置規制して第１の位置に良好に保持することができる。
【００２６】
請求項７に記載の発明は、請求項３〜６の何れか１項に記載のストロボ内蔵カメラにおいて、複数のロック部材を連動させる連動機構が設けられ、この連動機構がストロボケースに設けられているものであり、この構成によれば、連動機構を、ストロボケースの配置箇所を迂回するようにカメラ本体側に設けた場合と比較して、複数のロック部材同士を短い距離で連結して連動させることができて構造を簡素化することができる。
【００２７】
請求項８に記載の発明は、請求項１〜７の何れか１項に記載のストロボ内蔵カメラにおいて、ストロボケースが第１の位置にある状態でのストロボケース上面と外部ストロボ取付位置とがほぼ同一面となるように配置されているものであり、この構成によれば、外部ストロボ装置を取付位置に取り付けた際に駆動される部材を規制手段に短い距離で連動させることができる。
【００２８】
（実施の形態）
図１〜図１４は本発明の実施の形態に係るストロボ内蔵カメラに係る図面であり、図１は同ストロボ内蔵カメラの、第１の位置の状態を正面側から斜めに見た斜視図、図２は同ストロボ内蔵カメラの、第２の位置の状態を正面側から斜めに見た斜視図、図３は同ストロボ内蔵カメラに外部ストロボ装置を装着した状態を正面側から斜めに見た斜視図、図４は同ストロボ内蔵カメラに外部ストロボ装置を装着した状態を背面側から斜めに見た斜視図、図５は同ストロボ内蔵カメラの、第１の位置の状態を正面側から斜めに見た斜視図、図６は同ストロボ内蔵カメラの、第１の位置の状態を示す要部拡大側面断面図、図６〜図１０は同ストロボ内蔵カメラの要部拡大側面断面図である。ここで、本明細書および特許請求の範囲で用いる第１の位置Ｆおよび第２の位置Ｓという用語は、ストロボケース４が第１の位置Ｆにあるときよりも第２の位置Ｓにあるときの方がカメラ本体２からの距離が長くなるという、相対的な位置関係を示す用語として使用する。
【００２９】
図１、図２、図６、図８などに示すように、このストロボ内蔵カメラ１では、カメラ本体２の上面部箇所に、略直方体であるストロボケース４と、このストロボケース４を支持する支持部３とが設けられており、図１に示すように、ストロボケース４が第１の位置Ｆにあるときには、支持部３およびストロボケース４がカメラ本体２の上面部箇所に設けられた収納凹部２ｃ（図２、図８参照）内に収納された姿勢となるように配置されている。また、ストロボケース４は、カメラ本体２に対して、図２に示すような第２の位置Ｓにある場合に、図１に示すような第１の位置Ｆにある場合に比べて離れた位置となる。また、カメラ本体２の上面２ａには、シャッター釦１７等に加えて、外部ストロボ装置５０を装着するための装着手段としてのシュー３０が配置されている。さらに、カメラ本体２の前面部２ｄにおけるストロボケース４の前方位置には、ズームレンズなどを内包した鏡筒１４が取り付けられている。
【００３０】
なお、この実施の形態では、収納凹部２ｃは、カメラ本体２の上面部からこの上面部に続く背面部にかけて開口するように形成されている。そして、ストロボケース４が第１の位置Ｆに収納された状態では、カメラ本体２の前面部２ｄにより、ストロボケース４の前面が覆われ、カメラ本体２の前面部２ｄがカバー部としても機能する。
【００３１】
図６〜図９に示すように、支持部３は、第１の回動部１１および第２の回動部１２を有し、第１の回動部１１を中心にして回動自在にカメラ本体２に軸支されている。第１の回動部１１および第２の回動部１２は、それぞれ円柱状の軸材で構成されている。また、支持部３は、図２、図８などに示すように、主に側面部３ｄと平面部とを備えた略コの字形状（略Ｃ型チャネル形状）に形成されているとともに、支持部３の平面部は、２枚の板体３ａ、３ｂを貼り合わせて構成されている。図６、図７に示すように、支持部３は、第１の位置Ｆにある際には、収納凹部２ｃの前面部分、底面部分および側面部分に沿う形状に形成され、第１の回動部１１は、カメラ本体２の前面部２ｄと上面２ａとの角部近傍箇所に配設されている。
【００３２】
第１の回動部１１には、支持部３をカメラ本体２に対して第２の位置Ｓに付勢する弦巻バネ等の弾性体からなる第１の弾性部材９が外装され、ストロボケース４の後部下端に設けられた第２の回動部１２には、ストロボケース４を支持部３に対して第２の位置Ｓに付勢する弦巻バネ等の弾性体からなる第２の弾性部材１０が外装されている。そして、第１、第２の弾性部材９、１０により、ストロボケース４を第２の位置Ｓ側に付勢する付勢手段を構成している。ストロボケース４は、その側面が第２の回動部１２で支持部３に対して回動自在に軸支されている。
【００３３】
ここで、図８、図９などに示すように、第１の回動部１１は、ストロボケース４が第１の位置Ｆにあるときに支持部３の前側となる箇所に配設され、第２の回動部１２が、ストロボケース４が第１の位置Ｆにあるときに支持部３の後側となり、かつ、ストロボケース４が第１の位置Ｆにあるときだけでなく第２の位置Ｓにあるときでもストロボケース４の後側となる箇所に配設されている。すなわち、この実施の形態のストロボ内蔵カメラ１では、ストロボケース４が第１の位置Ｆにあるときに、第１の回動部１１が支持部３の前側となり、第２の回動部１２が支持部３の後側となる箇所に配設され、第１の位置Ｆから第２の位置Ｓに移動する際に、第１の回動部１１を中心として支持部３を斜め上方に向けて回動させ、第２の位置Ｓに移動した際のストロボケース４の姿勢は、ストロボケース４が第１の位置Ｆにあるときの姿勢と略同様な前向き姿勢をとるように配置されている。なお、図８に示す２ｅは、カメラ本体２の収納凹部２ｃを形成する凹部壁である。
【００３４】
図６〜図８に示すように、ストロボケース４はストロボ発光部５を有し、ストロボケース４の内部には配線部６およびトリガーコイル６ａが配置されている。ストロボ発光部５は第１の回動部１１の回動軸および第２の回動部１２の回動軸と平行な前面部に設けられている。ここで、配線部６は、例えばポリイミドのフレキシブル配線基板であり、ストロボ発光部５とカメラ本体２とを電気的に接続している。なお、配線部６は、ストロボケース４からカメラ本体２に至る途中で、第１の板体３ａと第２の板体３ｂとの間で挟持されている。
【００３５】
ここで、トリガーコイル６ａとは、昇圧用トランスであり、例えば３００ボルトの電圧を３０００ボルトに上昇させるよう作用する。ストロボ発光部５は、トリガーコイル６ａで昇圧された電力を受けて、発光を開始する。また、ストロボ発光部５は、ストロボケース４が第２の位置Ｓにあるときに発光可能となる。
【００３６】
図８、図９に示すように、カメラ本体２の凹部壁２ｅの前面上端部には第１の係止部１５が形成され、支持部３は、第１の回動部１１近傍に形成された第１の突起部７と、後端面下辺近傍に形成された第２の係止部１６とを有し、ストロボケース４は側面の後部下端に設けられた第２の突起部８を有する。この構成において、第１の係止部１５は、支持部３の第１の突起部７と当接することにより、支持部３のカメラ本体２に対する回動を第２の位置Ｓで係止するように作用する。これにより、支持部３は第１の弾性部材９によって図中反時計方向に常に付勢されていても、第２の位置Ｓで係止されることとなる。また、支持部３の第２の係止部１６は、ストロボケース４の第２の突起部８と当接することにより、ストロボケース４の支持部３に対する回動を第２の位置Ｓで係止するように作用する。これにより、ストロボケース４は第２の弾性部材１０によって図中時計方向に常に付勢されていても、第２の位置Ｓで係止されることとなる。
【００３７】
図６などに示すように、カメラ本体２の上部には、手動で操作される操作手段としてのポップアップ用操作部材２１がＤ、Ｅ方向（前後方向）にスライド自在に配設されている。このポップアップ用操作部材２１には、カメラ本体２の背面部から外部に露出する操作釦部２１ａと、支持部３に形成された第１の係合部３ｆに係合可能な爪形状の第４の係止部２１ｂと、ストロボケース４を第１の位置Ｆで係止するための第３の係止用カム部２１ｃとが形成されている。そして、図６に示すように、ポップアップ用操作部材２１における第４の係止部２１ｂを、支持部３に形成された第１の係合部３ｆに係合させることにより、支持部３を第１の位置Ｆに係止する、すなわち、収納凹部２ｃに沿った収納姿勢に保持するように構成されている。
【００３８】
ポップアップ用操作部材２１に形成された第３の係止用カム部２１ｃは、カメラ本体２内において回動可能に支持された第１の連動レバー１８に当接可能とされ、この第１の連動レバー１８は、支持部３において回動に支持された第２の連動レバー１９に当接可能とされ、第２の連動レバー１９は、ストロボケース４に形成された第２の係合部４ａに係合可能とされている。つまり、第１の連動レバー１８は、軸部１８ａを中心としてカメラ本体２内で回動自在に支持され、第１の連動レバー１８の下部に形成された第１の当接部１８ｂに対して、ポップアップ用操作部材２１に形成された第３の係止用カム部２１ｃが後方から押し上げるように当接可能である。また、第１の連動レバー１８における第１の当接部１８ｂの上方箇所には、上方に突出する凸部１８ｃが一体形成され、この凸部１８ｃは、第２の連動レバー１９に形成された被当接部１９ａに下方から当接可能とされている。第２の連動レバー１９は、軸部１９ｂを中心として、支持部３において回動自在に支持され、第２の連動レバー１９の上部に一体形成された第２の爪部１９ｃが、ストロボケース４に形成された第２の係合部４ａに係合可能に配置されている。そして、図６に示すように、ポップアップ用操作部材２１が外部より押し込まれていない状態では、第１の連動レバー１８および第２の連動レバー１９が押し上げられておらず、第２の連動レバー１９がストロボケース４の第２の係合部４ａに係合して、ストロボケース４を第１の位置Ｆに保持している。このようにして、ポップアップ用操作部材２１の第３の係止用カム部２１ｃと、これに連動する第１の連動レバー１８と第２の連動レバー１９とにより、ストロボケース４を第１の位置Ｆに保持する第３の係止部として機能している。なお、図示しないが、ポップアップ用操作部材２１と第１の連動レバー１８とにわたって付勢ばねが掛け渡された姿勢で介装されており、この付勢ばねの付勢力により、ポップアップ用操作部材２１は後方（Ｅ方向）に付勢され、また、第１の連動レバー１８は、その第１の当接部１８ｂが下方側となるように付勢されている。
【００３９】
なお、この実施の形態においては、ポップアップ用操作部材２１を操作する際にその押し込み量を少なめにすることで、図１０に示すように、第１の連動レバー１８による支持部３の第１の係合部３ｆには係合したままであるが、第２の連動レバー１９における第２の爪部１９ｃがストロボケース４の第２の係合部４ａから離脱し、この結果、第２の弾性部材１０の付勢力によりストロボケース４だけが第２の回動部１２を中心として支持部３に対して図中時計方向に回動し、ストロボケース４はそのストロボ発光部５が斜め上方を向いた位置で停止し、ストロボ発光部５が発光可能な状態（第３の位置）となるように構成されている。この姿勢で、天井が白色に近い色である屋内空間などでストロボ発光部５を発光させることで、ストロボ発光部５からの光が、天井などに当たって反射し、撮像物だけでなく、撮像物の後方にあるものなど、屋内空間において全体的に照射されるようになり、いわゆるバウンズ撮影を行うことができるようになっている。しかしながら、このようなバウンズ撮影を行うことができる構成を採用しなくてもよいことはいうまでもない。
【００４０】
なお、本実施の形態の支持部３および第１の突起部７は本発明の支持部の例であり、本実施の形態１のストロボケース４、第２の係合部４ａおよび第２の突起部８は本発明のストロボケースの例であり、本実施の形態の第４の係止部２１ｂ、第１の係合部３ｆ、第３の係止用カム部２１ｃ、第１の連動レバー１８、第１の当接部１８ｂ、凸部１８ｃ、第２の連動レバー１９、被当接部１９ａ、第２の爪部１９ｃ、第２の係合部４ａは本発明における第３の係止部の例である。
【００４１】
以上の構成に加えて、本発明の実施の形態においては、図３、図４に示すように外部ストロボ装置５０を装着手段としてのシュー３０に装着した際に、ストロボケース４が第１の位置Ｆから第２の位置Ｓに移動しないように、このストロボケース４を位置規制する規制手段としてのロックユニット４０を備えている。
【００４２】
このロックユニット４０について詳述する。図１１（ａ）、（ｂ）はそれぞれ同ストロボ内蔵カメラにおいてロックユニット４０が設けられている外部ストロボ装置５０および内蔵ストロボのストロボケース４などの箇所の拡大断面図で、図１１（ａ）は外部ストロボ装置５０を装着していない状態を示し、図１１（ｂ）は外部ストロボ装置５０を装着している状態を示す。図１２は同ストロボ内蔵カメラにおけるシューおよび内蔵ストロボが設けられている箇所の断面斜視図で、理解し易いように、ストロボケース４におけるストロボカバー部４ｄを取り外した状態を示している。図１３および図１４はそれぞれ同ストロボ内蔵カメラにおけるシューおよび内蔵ストロボが設けられている箇所の、ストロボケース４におけるストロボカバー部４ｄを取り外した状態を示す平面図で、図１３は外部ストロボ装置を装着してない場合を示し、図１４は外部ストロボ装置を装着している場合（外部ストロボ装置は省いている）を示す。
【００４３】
このロックユニット４０は、図１１〜図１４に示すように、シュー３０に設けられた一方のガイドレール３１の下方位置において、外部ストロボ装置５０の装着部５１を装着した際にがたつきを防止するための板ばね３２の下面に当接させて配置された昇降スライダ４１と、この昇降スライダ４１の下端に形成された傾斜面４１ａにその一端の傾斜面４２ａが摺接され、ストロボケース４が収納されている収納凹部２ｃ内へ向けて他端の第１ロック片部４２ｂが側方（Ｆ、Ｇ方向）に出退自在で、この第１ロック片部４２ｂがストロボケース４内に突入可能な第１のロック部材４２と、ストロボケース４内において前記Ｆ、Ｇ方向にスライド自在に配設され、第１のロック部材４２の第１ロック片部４２ｂによりその一端が当接してＦ方向に押し出し可能とされ、かつその他端の第２ロック片部４３ａが平面視してストロボケース４の反対部分から突出自在の第２のロック部材４３と、この第２のロック部材４３の第２ロック片部４３ａが収納される、カメラ本体２の上面２ａ直下部に形成された被係合凹部４４などから構成されている。
【００４４】
ここで、第１のロック部材４２は、コイルばねからなる第１の押圧部材４５により、収納凹部２ｃ側から後退するＧ方向に付勢されているとともに、その端部に形成された傾斜面４２ａが昇降スライダ４１の傾斜面４１ａに当接されている。したがって、外部ストロボ装置５０が装着されていない状態では、図１１（ａ）、図１２、図１３に示すように、第１の押圧部材４５の付勢力により、第１のロック部材４２は、その第１ロック片部４２ｂがストロボケース４内には突出しない姿勢に維持されている。第２のロック部材４３は、ストロボケース４を構成するケース本体４ｂとストロボカバー部４ｄとの間の空間において、図１２に示すように、ケース本体４ｂに一体形成されたガイド筒状部４ｃにその長孔部４３ｂが沿う姿勢で、前記Ｇ、Ｆ方向にスライド自在に配設されている。また、第２のロック部材４３は、ストロボケース４内に配設されたコイルばねからなる第２の押圧部材４６によりＧ方向に付勢されており、これにより、第１のロック部材４２の第１ロック片部４２ｂがストロボケース４内に突出していない状態では、第２のロック部材４３は、その第２ロック片部４３ａがストロボケース４から突出せずに収納されている姿勢に保持されている。
【００４５】
また、図１２〜図１４に示すように、ストロボケース４を平面視して、ストロボケース４における、第１のロック部材４２の第１ロック片部４２ｂが挿入される箇所は、後端部近傍の左側面部分であり、第２のロック部材４３の第２ロック片部４３ａが突出される箇所は、前端部近傍の右側面部分であり、これらの第１のロック部材４２の第１ロック片部４２ｂと第２のロック部材４３の第２ロック片部４３ａとがストロボケース４の略対角線上の位置に配置されている。さらに、図１１、図１２に示すように、ストロボケース４が第１の位置Ｆにある状態でのストロボケース４の上面と外部ストロボ取付位置とがほぼ同一面となるように配置されている。
【００４６】
なお、詳細には述べないが、当然ながら、外部ストロボ装置５０においても、ストロボ発光部や、トリガーコイルなどが内蔵されている。
このように構成されたストロボ内蔵カメラ１において、外部ストロボ装置５０を装着しない状態で、ユーザーがポップアップ用操作部材２１をＤ方向（図６参照）に所定量以上押圧すると、図７に示すように、ポップアップ用操作部材２１の第４の係止部２１ｂが支持部３の第１の係合部３ｆから離脱するとともに、ポップアップ用操作部材２１の第３の係止用カム部２１ｃにより第１の連動レバー１８と第２の連動レバー１９の被当接部１９ａとが押し上げられ、第２の連動レバー１９における第２の爪部１９ｃがストロボケース４の係合部４ａから離脱する。
【００４７】
この結果、図８に示すように、第１の弾性部材９の付勢力により支持部３が第１の回動部１１を中心としてカメラ本体２に対して図中反時計方向に回動するとともに、第２の弾性部材１０の付勢力によりストロボケース４が第２の回動部１２を中心として支持部３に対して図中時計方向に回動し、第１の係止部１５に第１の突起部７が当接した時点で支持部３が回動を停止し、同様に、第２の係止部１６に第２の突起部８が当接した時点でストロボケース４は回動を停止する。このようにして、ストロボケース４は、収納凹部２ｃ内の第１の位置Ｆから上方に移動するだけでなく、前方にも移動して第２の位置Ｓとなり、ストロボ発光部５が発光可能な状態となる。
【００４８】
また、ストロボ内蔵カメラ１のストロボケース４を、図２および図８、図９に示す第２の位置Ｓから図１および図６に示す第１の位置Ｆに移動するときは、ユーザーがストロボケース４の上面を下方（カメラ本体２方向）に押すことにより、支持部３が第１の弾性部材９の付勢力に抗してカメラ本体２に対して第１の回動部１１を中心に図中時計方向に回動するとともに、ストロボケース４が第２の弾性部材１０の付勢力に抗して支持部３に対して第２の回動部１２を中心に図中反時計方向に回動する。そして、第２の連動レバー１９における第２の爪部１９ｃがストロボケース４の係合部４ａに係合し、また、ポップアップ用操作部材２１の第４の係止部２１ｂが支持部３の第１の係合部３ｆに係合する。これにより、ストロボケース４は第１の位置Ｆに係止されて図６に示す状態となる。この状態において、ストロボケース４は収納凹部２ｃ内に収納され、ストロボ発光部５は発光が禁止される。
【００４９】
一方、ストロボ内蔵カメラ１のストロボケース４が第１の位置Ｆ、すなわちこの実施の形態においては収納凹部２ｃ内に収納されている状態で、外部ストロボ装置５０を装着すると、外部ストロボ装置５０の装着部５１をシュー３０のガイドレール３１と板ばね３２との間に挿入させた際に、装着部５１により板ばね３２とともに昇降スライダ４１が下方へ押圧されて下降する。これにより、昇降スライダ４１に摺接された第１のロック部材４２がＦ方向に移動し、第１のロック部材４２の第１ロック片部４２ｂがストロボケース４内に突入するとともに、この第１ロック片部４２ｂがストロボケース４内に配設されている第２のロック部材４３に当接してこの第２のロック部材４３をＧ方向に連動させて移動させ、この第２のロック部材４３の第２ロック片部４３ａがストロボケース４から突出してカメラ本体２の被係合凹部４４に突入する。これにより、ストロボケース４はカメラ本体２に対して、第１のロック部材４２の第１ロック片部４２ｂの箇所と、第２のロック部材４３の第２ロック片部４３ａの箇所とで係止されてロックされる。
【００５０】
したがって、このように外部ストロボ装置５０を装着した状態で、ポップアップ用操作部材２１を押圧しても、一時的に、ポップアップ用操作部材２１の第４の係止部２１ｂが支持部３の第１の係合部３ｆから離脱したり、第２の連動レバー１９における第２の爪部１９ｃがストロボケース４の係合部４ａから離脱したりするものの、第１、第２のロック部材４２、４３のロック片部４２ｂ、４３ａにより、ストロボケース４は第１の位置Ｆにロックされ、ストロボケース４が第２の位置Ｓに移動することは確実に阻止される。この結果、ストロボケース４のポップアップ動作が行われないので、ストロボケース４のポップアップ動作によりストロボケース４と外部ストロボ装置５０とが当接して損傷したり、外部ストロボ装置５０とストロボケース４の両者に通電されてしまったりすることが防止される。また、このように、ポップアップ用操作部材２１を押しても、このポップアップ用操作部材２１などが損傷することはない。
【００５１】
また、ストロボケース４を位置規制することにより第２の位置Ｓへの移動を機械的に禁止しているので、電気的に制御する場合と比較して製造コストの増加を抑えることができる。つまり、従来構成のような、電気スイッチ、マグネットユニットならびにこれらに給電する電源や電気制御回路などを必要としないため、製造コストの増加を最小限に抑えることができる。
【００５２】
さらに、２つのロック部材４２、４３によりストロボケース４を２箇所で第１の位置Ｆに位置規制しているので、ストロボケース４を良好な姿勢で確実に第１の位置Ｆに保持できる。つまり、第１のロック部材４２の第１ロック片部４２ｂにより、ストロボケース４における第１の回動部１１を中心として端部側となる箇所を位置規制しているので、ストロボケース４および支持部３が第１の回動部１１を中心として回動しようとする動作を良好に防止できると同時に、第２のロック部材４３の第２ロック片部４３ａにより、ストロボケース４における第２の回動部１２を中心として端部側となる箇所を位置規制しているので、ストロボケース４が第２の回動部１２を中心として回動しようとする動作も良好に防止できる。
【００５３】
この結果、外部ストロボ装置５０を装着した状態で、ユーザーが誤ってポップアップ用操作部材２１を押圧しても、支持部３やストロボケース４が浮き上がることを確実に防止でき、その後、ユーザーがポップアップ用操作部材２１から手を離すと、ポップアップ用操作部材２１の第４の係止部２１ｂが支持部３の第１の係合部３ｆに再度係合し、また、第２の連動レバー１９における第２の爪部１９ｃがストロボケース４の係合部４ａに再度係合する。したがって、この後、外部ストロボ装置５０を取り外すと、２つのロック部材４２、４３によるロックが解除されるが、ストロボケース４は第１の位置Ｆに良好に保持されたままとなる。
【００５４】
さらに、第１のロック部材４２と第２のロック部材４３とにより、ストロボケース４の略対角線上の位置をロックしているので、ストロボケース４の幅方向に対しても両側で良好に位置規制して第１の位置Ｆに良好に保持することができる。
【００５５】
また、この実施の形態においては、第２のロック部材４３自体で、第１のロック部材４２の第１ロック片部４２ｂと第２のロック部材４３の第２ロック片部４３ａとを連動させる連動機構の機能を果たしており、これにより、極めて簡単な構成でロック片部４２ｂ、４３ａ同士を良好に連動させることができる。そして、この連動機構としての第２のロック部材４３をストロボケース４内に配置しているので、連動機構を、ストロボケース４の配置箇所を迂回するようにカメラ本体２側に設ける場合と比較して、構造を簡素化することができるうえに連結部の距離を最短にできて、少ない部品で信頼性の高い連動機構を安価に得ることができる。さらに、ストロボケース４が第１の位置Ｆにある状態でのストロボケース４の上面と外部ストロボ取付位置とがほぼ同一面となるように配置されているので、この構成によっても、外部ストロボ装置５０を取り付けた際に駆動される昇降スライダ４１を規制手段である第１のロック部材４２に短い距離で連動させることができ、これによっても、少ない部品で信頼性の高い連動機構を得ることができる。
【００５６】
また、本実施の形態のストロボ内蔵カメラ１によれば、第１の回動部１１と第２の回動部１２とを有し、第１の回動部１１でカメラ本体２に対して回動自在に軸支される支持部３と、第２の回動部１２で支持部３に対して回動自在に側面が軸支され、ストロボ発光部５を有し、第１の位置Ｆと第２の位置Ｓとの間で移動可能なストロボケース４と、支持部３を第２の位置Ｓで係止する第１の係止部１５と、ストロボケース４を第２の位置Ｓで係止する第２の係止部１６とを備えたので、ストロボケース４を軸支するのに用いられる部分を設けるために必要な空間を小さくすることができて、ストロボ内蔵カメラ１自体を小型化することができる。さらに、ストロボケース４が第１の位置Ｆにあるときには、第１の回動部１１が支持部３の前側となり、第２の回動部１２が支持部３の後側となり、かつ、第２の回動部１２は、ストロボケース４が第１の位置Ｆにあるときだけでなく第２の位置Ｓにあるときでもストロボケース４の後側となる箇所に配設したので、ストロボケース４を第２の位置Ｓに突出させた際にこのストロボケース４が上方だけでなく前方にも移動することとなり、この結果、カメラ本体２の前方中央にある鏡筒１４等の部材により出射光が乱反射されることを低減できる。
【００５７】
なお、本発明の実施の形態においては、外部ストロボ装置５０が装着される箇所において、外部ストロボ装置５０の装着部５１によりシュー３０の板ばね３２を介して昇降スライダ４１が押圧される場合を述べたが、これに限るものではなく、装着部５１により昇降スライダ４１が直接押圧されるように構成してもよい。また、昇降スライダ４１により第１のロック部材４２を直接移動させ、第１のロック部材４２により第２のロック部材４３を直接移動させる構成を採用したので、極めて少ない部品数で、安価かつ信頼性が高い利点があるが、この構成に限らないことはもちろんである。また、第１のロック部材４２の第１ロック片部４２ｂと第２のロック部材４３の第２ロック片部４３ａとの２箇所だけで、ストロボケース４を位置規制した場合を述べたが、さらに位置規制するロック部を設けてもよい。
【産業上の利用可能性】
【００５８】
本発明のストロボ内蔵カメラは、デジタルスチルカメラやフィルム感光型の小型カメラなど、各種のストロボ内蔵カメラに対して有用である。
【図面の簡単な説明】
【００５９】
【図１】本発明の実施の形態に係るストロボ内蔵カメラの、第１の位置の状態を正面側から斜めに見た斜視図
【図２】同ストロボ内蔵カメラの、第２の位置の状態を正面側から斜めに見た斜視図
【図３】同ストロボ内蔵カメラに外部ストロボ装置を装着した状態を正面側から斜めに見た斜視図
【図４】同ストロボ内蔵カメラに外部ストロボ装置を装着した状態を背面側から斜めに見た斜視図
【図５】同ストロボ内蔵カメラの、第１の位置の状態を正面側から斜めに見た斜視図
【図６】同ストロボ内蔵カメラの、第１の位置の状態を示す要部拡大側面断面図
【図７】同ストロボ内蔵カメラの、第１の位置の状態でポップアップ用操作部材を押圧した際の状態を示す要部拡大側面断面図
【図８】同ストロボ内蔵カメラの、第２の位置の状態を示す要部拡大側面断面図
【図９】同ストロボ内蔵カメラの、第２の位置の状態を示す要部拡大部分切欠側面図
【図１０】同ストロボ内蔵カメラの、第３の位置の状態を示す要部拡大側面断面図
【図１１】（ａ）、（ｂ）はそれぞれ同ストロボ内蔵カメラにおける外部ストロボ装置およびストロボケースなどの箇所の拡大断面図で、（ａ）は外部ストロボ装置を装着していない状態を示す図、（ｂ）は外部ストロボ装置を装着している状態を示す図
【図１２】同ストロボ内蔵カメラにおけるシューおよび内蔵ストロボが設けられている箇所の断面斜視図
【図１３】同ストロボ内蔵カメラにおけるシューおよび内蔵ストロボが設けられている箇所の平面図（ストロボケースにおけるストロボカバー部を取り外した状態を示す）
【図１４】同ストロボ内蔵カメラにおけるシューおよび内蔵ストロボが設けられている箇所の平面図（外部ストロボ装置を装着した場合（外部ストロボ装置は省いている）の、ストロボカバー部を取り外した状態を示す）
【符号の説明】
【００６０】
１        ストロボ内蔵カメラ
２        カメラ本体
２ｃ      収納凹部
３        支持部
３ｆ      第１の係合部
４        ストロボケース
４ａ      第２の係合部
７        第１の突起部
８        第２の突起部
９        第１の弾性部材（付勢手段）
１０      第２の弾性部材（付勢手段）
１１      第１の回動部
１２      第２の回動部
１４      鏡筒
１５      第１の係止部
１６      第２の係止部
１８      第１の連動レバー
１９      第２の連動レバー
４ａ      第２の係合部
２１      ポップアップ用操作部材（操作手段）
２１ａ    操作釦部
２１ｂ    第４の係止部
２１ｃ    第３の係止用カム部
３０      シュー
３１      ガイドレール
３２      板ばね
４０      ロックユニット
４１      昇降スライダ
４２      第１のロック部材
４２ｂ    第１ロック片部
４３      第２のロック部材
４３ａ    第２ロック片部
４４      被係合凹部
４５      第１の押圧部材
４６      第２の押圧部材
５０      外部ストロボ装置
Ｆ        第１の位置
Ｓ        第２の位置
【図１】
2005134409.tif 000003
【図２】
2005134409.tif 000004
【図３】
2005134409.tif 000005
【図４】
2005134409.tif 000006
【図５】
2005134409.tif 000007
【図６】
2005134409.tif 000008
【図７】
2005134409.tif 000009
【図８】
2005134409.tif 000010
【図９】
2005134409.tif 000011
【図１０】
2005134409.tif 000012
【図１１】
2005134409.tif 000013
【図１２】
2005134409.tif 000014
【図１３】
2005134409.tif 000015
【図１４】
2005134409.tif 000016